(57)【特許請求の範囲】
【請求項１】
床スラブに沿って無勾配で配管される横引き管と、
前記横引き管よりも下流側に配置され、排水を流下させることにより発生するサイフォン力により前記横引き管内の排水を吸引して流下させる竪管と、
前記竪管よりも上流側の上流側配管に連結部で連結され、前記上流側配管の外から前記上流側配管へ圧縮気体を送る圧縮気体供給具と、
を備えた、サイフォン排水システム。
【請求項２】
前記圧縮気体供給具は、前記連結部から上方へ延びる連結管を介して前記上流側配管に連結されていることを特徴とする請求項１に記載のサイフォン排水システム。
【請求項３】
前記上流側配管の前記連結部よりも上流側には、流体の下流側から上流側への逆流を阻止する逆止機構が設けられていること、を特徴とする請求項１または請求項２に記載のサイフォン排水システム。
【請求項４】
前記圧縮気体供給具は、前記上流側配管への排水の流入開始タイミングに対応して前記上流側配管への圧縮気体の供給を開始し、所定のサイフォン力開始タイミングに対応して前記上流側配管への圧縮気体の供給を停止すること、を特徴とする請求項１〜請求項３のいずれか１項に記載のサイフォン排水システム。
【請求項５】
前記横引き管の上流側に、排水を一時貯留する貯留槽が設けられ、前記圧縮気体供給具は、前記上流側配管または前記貯留槽に連結されていること、を特徴とする請求項１〜４のいずれか１項に記載のサイフォン排水システム。
【請求項６】
前記横引き管の上流側に、ディスポーザが設置され、前記圧縮気体供給具は、前記ディスポーザに連動して作動されること、を特徴とする請求項１〜請求項３のいずれか１項に記載のサイフォン排水システム。
【請求項７】
前記横引き管の上流側に、食洗機が設置され、前記圧縮気体供給具は、前記食洗機に連動して作動されること、を特徴とする請求項１〜請求項３のいずれか１項に記載のサイフォン排水システム。
【発明の詳細な説明】
【技術分野】
【０００１】
本発明は、排水システム、特にサイフォン力を用いて排水を行う、サイフォン排水システムに関する。
【背景技術】
【０００２】
近年、従来の勾配排水システムに代わって、サイフォン排水システムが提案されている。サイフォン排水システムは、特許文献１、２に記載されるように、水廻り器具とサイフォン排水管を含んで構成されており、サイフォン排水管は、床スラブに沿って無勾配で配管された横引き管、及び、垂下部をなす竪管で構成されている。そして、サイフォン排水システムでは、竪管にて発生するサイフォン力（負圧力）を利用して、水廻り器具からの排水効率の向上が図られている。
【０００３】
このサイフォン排水システムにおいては、水廻り器具から排出された排水はサイフォン排水管に流入し、サイフォン排水管の水平部をなす横引き管及びサイフォン排水管の垂下部をなす竪管を満たす。サイフォン排水管の竪管が排水で満たされると、竪管内の排水は重力により落下し、竪管における水頭差に対応する吸引力、即ちサイフォン力が発生するため、このサイフォン力により横引き管内の排水が下流へ向かって吸引され流下する。
【０００４】
このようなサイフォン排水システムにおいては、サイフォン開始時間が重要な管理項目である。サイフォン開始時間とは、水廻り器具からの排水開始からサイフォン力が発生するまでのタイムラグのことである。そのタイムラグの間に水廻り器具から排出される水は、トラップ内、配管内に貯留された状態になる。したがって、サイフォン開始時間が遅いと、サイフォン開始前に水廻り器具側に水が溢れたり、滞留することになる。サイフォン排水システムの設計を行うにあたっては、サイフォン開始時間をできるだけ早くしたいという要請がある。
【０００５】
一方、サイフォン排水システムに限らず、排水設備において、排水配管内の排水を下流へ向かって流すために、ポンプが用いられる場合がある。例えば、特許文献３に開示されている技術では、排水貯留槽内の貯留水を排水ポンプで吸引し、排水管内を流れる排水の先端がサイフォン力を発生させる位置まで到達すると、ポンプを停止させてサイフォン力を用いて排水を行っている。
【０００６】
しかしながら、引用文献３の技術では、ポンプ内を液体が通過することが必須であるため、排水によってポンプが汚れたり、ポンプが詰まったり、固形物が流入してダメージを与えたり、液体のポンプへの流入によりポンプの負荷が大きくなったりして、ポンプの寿命を短くしてしまう可能性がある。
【先行技術文献】
【特許文献】
【０００７】
【特許文献１】特開２０００−２９７４４７号公報
【特許文献２】特開２００３−２０１７２７号公報
【特許文献３】特開平１１−６１９２２号公報
【発明の概要】
【発明が解決しようとする課題】
【０００８】
ところで、サイフォン排水システムにおいて、サイフォン開始時間を早めるために、サイフォン力発生に必要な吸引力をポンプ等の流体輸送具を用いて得ることが考えられる。しかしながら、単にポンプを使用するのでは、前述のように、ポンプが汚れ、ポンプの故障、損傷などが発生しやすくなるという問題がある。
【０００９】
本発明は、上記事実を考慮して成されたものであり、流体輸送具を適切に使用してサイフォン開始時間を早めることの可能なサイフォン排水システムを提供することを目的とする。
【課題を解決するための手段】
【００１０】
本発明の請求項１に係るサイフォン排水システムは、床スラブに沿って無勾配で配管される横引き管と、前記横引き管よりも下流側に配置され、排水を流下させることにより発生するサイフォン力により前記横引き管内の排水を吸引して流下させる竪管と、前記竪管よりも上流側の上流側配管に連結部で連結され、前記上流側配管の外から前記上流側配管へ圧縮気体を送る圧縮気体供給具と、を備えている。
【００１１】
上記構成のサイフォン排水システムでは、圧縮気体供給具からの圧縮気体が上流側配管へ送られる。ここで、上流側配管は、水廻り器具から竪管までの間に配設される配管であり、横引き管や、排水を貯留する貯留槽を含むものである。上流側配管へ送られた圧縮空気は、上流側配管内を流れる排水に対して圧力を加える。この圧力は、横引き管、竪管内で下流へ向かって排水を移動させ、竪管において、排水を下側へ向かって押し込む。これにより、サイフォン力が起動する。
【００１２】
本発明によれば、圧縮気体供給具からの圧縮空気により、積極的にサイフォン力を発生させるので、圧縮気体供給具を用いない場合と比較して、サイフォン開始時間を早めることができる。また、圧縮気体供給具は、前記上流側配管の外から連結部を経て上流側配管へ圧縮気体を送るので、器具内への排水の流入を必要とせず、圧縮気体供給具が排水によって汚れることがなく、圧縮気体供給具の故障、損傷を抑制することができる。
【００１３】
本発明の請求項２に係るサイフォン排水システムは、前記圧縮気体供給具は、前記連結部から上方へ延びる連結管を介して前記上流側配管に連結されていることを特徴とする。
【００１４】
このように、連結管を介して圧縮気体供給具を連結することにより、圧縮気体供給具への排水の流入をより確実に防止して、連結部よりも上方から圧縮気体を供給することができる。
【００１５】
本発明の請求項３に係るサイフォン排水システムは、前記上流側配管の前記連結部よりも上流側には、流体の下流側から上流側への逆流を阻止する逆止機構が設けられていること、を特徴とする。
【００１６】
このように、逆止機構を設けることにより、圧縮気体供給具から上流側配管へ送られた圧縮空気が逆止機構よりも上流へ逆流することが阻止され、効率的にサイフォン力を発生させることができる。また、水廻り器具（排水トラップ）が設けられている場合には、水廻り器具からの排水の吹き出しを防止することができる。
【００１７】
本発明の請求項４に係るサイフォン排水システムは、前記圧縮気体供給具は、前記上流側配管への排水の流入開始タイミングに対応して前記上流側配管への圧縮気体の供給を開始し、所定のサイフォン開始タイミングに対応して前記上流側配管への圧縮気体の供給を停止すること、を特徴とする。
【００１８】
このように、上流側配管への排水の流入とサイフォン開始のタイミングに対応させて、圧縮気体の供給の開始を行うことにより、サイフォン力を発生させるための適切なタイミングで圧縮空気の供給を行うことができ、より効率的にサイフォン力を発生させることができる。また、サイフォン開始のタイミングに対応させて、圧縮気体の供給の停止を行うことにより、排水がすべて排出されるよりも前に圧縮気体供給具を停止させることができ、圧縮気体供給具の作動時間を短くすることができる。
【００１９】
本発明の請求項５に係るサイフォン排水システムは、前記横引き管の上流側に、排水を一時貯留する貯留槽が設けられていること、を特徴とする。
【００２０】
このように、貯留槽を設けることにより、サイフォン力の発生に必要な排水を貯留して効率よくサイフォン力を発生させることができる。
【００２１】
なお、圧縮気体供給具は、貯留槽に連結されていてもよいし、他の上流側配管に連結されていてもよい。
【００２２】
本発明の請求項６に係るサイフォン排水システムは、前記横引き管の上流側に、ディスポーザが設置され、前記圧縮気体供給具は、前記ディスポーザに連動して作動されること、を特徴とする。
【００２３】
このように、ディスポーザの作動に連動して圧縮気体供給具を作動させて、サイフォン力を発生させることができる。
【００２４】
本発明の請求項７に係るサイフォン排水システムは、前記横引き管の上流側に、食洗機が設置され、前記圧縮気体供給具は、前記食洗機に連動して作動されること、を特徴とする。
【００２５】
このように、食洗機の作動に連動して圧縮気体供給具を作動させて、サイフォン力を発生させることができる。
【発明の効果】
【００２６】
本発明は、上記構成としたので、圧縮気体供給具を適切に使用してサイフォン開始時間を早めることができる。
【図面の簡単な説明】
【００２７】
【図１】第１実施形態に係るサイフォン排水システムの全体構成を示す概略図である。
【図２】第１実施形態に係るサイフォン排水システムの一部拡大構成を示す概略図である。
【図３】第１実施形態に係るサイフォン排水システムの制御系ブロック図である。
【図４】第１実施形態に係るサイフォン排水システムにおいて、排水の状態（Ａ）〜（Ｃ）を示す説明図である。
【図５】第１実施形態の圧縮空気供給処理の手順を示すフローチャートである。
【図６】第１実施形態の変形例に係るサイフォン排水システムの全体構成を示す概略図である。
【図７】第１実施形態の他の変形例に係るサイフォン排水システムの全体構成を示す概略図である。
【図８】第１実施形態の他の変形例に係るサイフォン排水システムの一部拡大構成を示す概略図である。
【図９】第２実施形態に係るサイフォン排水システムの全体構成を示す概略図である。
【図１０】第２実施形態に係るサイフォン排水システムの制御系ブロック図である。
【図１１】第２実施形態に係るサイフォン排水システムにおいて、排水の状態（Ａ）〜（Ｃ）を示す説明図である。
【図１２】第２実施形態の圧縮空気供給処理の手順を示すフローチャートである。
【図１３】第２実施形態の変形例に係るサイフォン排水システムの一部拡大構成を示す概略図である。
【発明を実施するための形態】
【００２８】
［第１実施形態］
以下に、本発明に係るサイフォン排水システムの第１実施形態について、図面に基づき説明する。図１には、本実施形態に係るサイフォン排水システムの全体構成の概略図が示されている。本実施形態に係るサイフォン排水システム１０は、サイフォン力を利用して水廻り器具からの排水を効率よく排出する排水システムである。
【００２９】
本実施形態において、サイフォン排水システム１０は、複数階で構成された集合住宅に用いられ、図１に示すように、排水を下方へ流す排水立て管１２を備えている。この排水立て管１２は、集合住宅の上下方向（縦方向）に延設され、集合住宅の各階の床スラブ１４を貫いている。
【００３０】
集合住宅の各階には、浴槽、洗濯機、洗面所、トイレ及び台所流し等の水廻り器具１６が設けられており、この水廻り器具１６には、水廻り器具１６から排出される排水を流すサイフォン排水管２３が接続されている。
【００３１】
サイフォン排水管２３は、水廻り器具１６に接続される器具排水管１８と、この器具排水管１８と連通する横引き管２０と、この横引き管２０と連通する竪管２２とを備えて構成されている。
【００３２】
器具排水管１８は、水廻り器具１６から排出される排水を下方へ流すように構成されている。なお、図１においては、一の水廻り器具１６、一のサイフォン排水管２３のみを図示している。
【００３３】
この器具排水管１８と連通する横引き管２０は、床スラブ１４上で横方向に延設されている。この横引き管２０は、無勾配で配置され、器具排水管１８から横引き管２０へ流入した排水を横方向へ流す。本実施形態では、横引き管２０と器具排水管１８で本発明の上流側配管が構成されている。
【００３４】
この横引き管２０と連通する竪管２２は、排水立て管１２に沿って、上下方向（縦方向）に延設されている。この竪管２２は、横引き管２０から竪管２２へ流入した排水を下方へ落下させることによりサイフォン力を発生させる。
【００３５】
この竪管２２と排水立て管１２とを連結する排水継手５０が設けられている。この排水継手５０は、竪管２２からの排水を排水立て管１２へ合流させる。
【００３６】
器具排水管１８、横引き管２０及び竪管２２は、他の水廻り器具１６からの排水と途中で合流することなく、そのまま排水立て管１２へ排水を導くようになっている。また、器具排水管１８、横引き管２０及び竪管２２は、水廻り器具１６からの排水が満水の状態で流れるように、管の内径が設定され、例えば、具体的サイズとして呼び径２０Ａに設定されている。
【００３７】
図２にも示されるように、横引き管２０には、連結管３０が連結されている。連結管３０は、連結部３０Ａで横引き管２０に連通され、上方へ延出されている。連結管３０の先端には、圧縮気体供給具３２が取り付けられている。圧縮気体供給具３２は、圧縮空気を横引き管２０へ供給可能とされている。圧縮気体供給具３２の圧縮空気吐出口には、圧縮逆止弁（不図示）が設けられている。圧縮気体供給具３２としては、空気ポンプ、コンプレッサーなどを用いることができる。
【００３８】
なお、圧縮気体供給具３２が横引き管２０と連結される連結部３０Ａの位置は、圧縮気体供給具３２から供給される圧縮空気を竪管２２に直接流入させない位置であることが好ましく、横引き管２０の全長の１／２よりも上流側に配置されることが好ましい。
【００３９】
横引き管２０の連結部３０Ａよりも上流側には、逆止機構としての逆止弁３４が設置されている。逆止弁３４は、逆止弁３４の上流側から下流側への流体の移動を許容し、逆止弁３４の下流側から上流側への流体の移動を阻止するように構成されている。逆止弁３４としては、自封式トラップを用いることができる。本実施形態では、自封式トラップ（メンブレンバルブ）を用いた例について説明するが、逆止弁３４は、他の様式のものを用いることもできる。自封式トラップを用いない場合には、器具排水管１８に別途トラップを設けることが必要となる。
【００４０】
横引き管２０の連結部３０Ａ近傍には、センサ３６が設置されている。センサ３６は、水廻り器具１６からの排水の通過を検知可能とされている。センサ３６は、後述するコントローラー４０と接続されており、水廻り器具１６からの排水の通過を検知すると、コントローラー４０へ排水検知信号Ｓ１を出力する。
【００４１】
コントローラー４０は、不図示のＣＰＵ、ＲＯＭ、ＲＡＭ、を含んで構成されており、図３に示されるように、圧縮気体供給具３２、センサ３６、及び、メモリ４２と接続されている。メモリ４２には、排水検知信号Ｓ１の入力（排水がセンサ３６を通過するタイミング）からサイフォン力起動のために圧縮気体供給具３２の作動を開始する時間（作動開始待機時間Ｔ１）、及び、作動開始待機時間Ｔ１の経過後、圧縮気体供給具３２をさせておく時間（作動時間Ｔ２）が予め記録されている。
【００４２】
作動開始待機時間Ｔ１は、排水がセンサ３６を通過してから横引き管２０が所定の充填状態となるまでの時間で設定することができる。所定の充填状態は、圧縮空気を供給することにより効果的にサイフォン力起動を行うことが可能な程度に排水が横引き管２０に満たされている状態をいい、横引き管２０全体の６０％〜９０％程度が排水で充填されている状態である。この充填状態は、排水が連結部３０Ａを通過してから当該充填状態となるまでの平均的な所定時間を予め実験などにより求めておくことができる。
【００４３】
作動時間Ｔ２は、作動開始待機時間Ｔ１の経過後、圧縮気体供給具３２をさせておく時間であり、圧縮空気の供給によって、サイフォン力が起動するまでに要する時間が設定される。
【００４４】
（本実施形態の作用）
次に、上記の実施形態について作用を説明する。
【００４５】
水廻り器具１６から排出された排水は、器具排水管１８、横引き管２０及び竪管２２を流れる（図４（Ａ）参照）。排水がセンサ３６を通過すると、センサ３６により排水の通過が検知され、排水検知信号Ｓ１がコントローラー４０へ出力される。排水検知信号Ｓ１が入力されると、コントローラー４０では、図５に示される、圧縮空気供給処理が実行される。
【００４６】
先ず、ステップＳ１０で、作動開始待機時間Ｔ１待機し、作動開始待機時間Ｔ１が経過したら、ステップＳ１２で圧縮気体供給具３２へ作動開始信号Ｓ２を出力する。この作動開始信号Ｓ２により、圧縮気体供給具３２が作動し、圧縮空気が横引き管２０へ供給される。そして、ステップＳ１４で、作動時間Ｔ２が経過するまで待機する。
【００４７】
このとき、横引き管２０は、図４（Ｂ）に示されるように、全体の６０％〜９０％程度が排水で充填されている状態となっている。圧縮空気が横引き管２０へ供給されることにより、排水に圧力がかかり、竪管２２において排水が下方へ押し込まれる（図４（Ｃ）参照）。これにより、下流側の排水に吸引力が作用し、サイフォン力が発生する。
【００４８】
作動時間Ｔ２が経過したら、ステップＳ１６で圧縮気体供給具３２へ、作動停止信号Ｓ３を出力する。この作動停止信号Ｓ３により、圧縮気体供給具３２の作動が停止し、横引き管２０への圧縮空気の供給が停止される。圧縮空気の供給が停止された後も、サイフォン力は作用し、サイフォン力により排水が排出される。
【００４９】
本実施形態によれば、圧縮気体供給具３２からの圧縮空気により、積極的にサイフォン力を発生させるので、圧縮気体供給具３２を用いない場合と比較して、サイフォン開始時間を早めることができる。また、圧縮気体供給具３２は、横引き管２０との連結部３０Ａを介して、排水の通過する配管の外側から圧縮気体を送るので、器具内への排水の流入を必要とせず、圧縮気体供給具３２が排水によって汚れることがなく、圧縮気体供給具３２の故障、損傷を抑制することができる。
また、単なる圧送排水の場合にポンプを稼働させておく時間と比較して、圧縮気体供給具３２の稼働時間が少ないので、圧縮気体供給具３２の耐用年数を延ばすことができる。
【００５０】
なお、本実施形態では、逆止弁３４を設置したが、逆止弁３４はなくてもよい。本実施形態のように逆止弁３４を用いることにより、効率的にサイフォン力を発生させることができる。
【００５１】
また、本実施形態では、圧縮気体供給具３２を横引き管２０と連結させたが、図６に示されるように、圧縮気体供給具３２を器具排水管１８と連結させてもよい。
【００５２】
また、本実施形態では、連結管３０を介して圧縮気体供給具３２を横引き管２０と連結させたが、連結管３０は、必ずしも必要ではなく、圧縮気体供給具３２を直接、横引き管２０と連結してもよい。この場合には、圧縮気体供給具３２を連結部３０Ａの上方で連結させることにより、排水の圧縮気体供給具３２への流入を抑制することができる。また、圧縮気体供給具３２の圧縮空気流出口に逆止弁を設けておくことにより、確実に排水の流入を防止することができる。
【００５３】
また、本実施形態では、圧縮気体供給具３２の作動をセンサ３６からの信号のタイミングで設定したが、他の機器を用いて設定してもよい。また、圧縮気体供給具３２の停止についても、他の方法、例えば圧縮空気の供給量や横引き管２０内の圧力などに基づいて設定してもよい。
【００５４】
さらに、圧縮気体供給具３２の作動及び停止を、ユーザーによるスイッチのオン・オフにより行うこともできる。例えば、図７に示されるように、水廻り器具の排出口に投入された投入物を粉砕し、その粉砕物を排水と共に流下可能にするディスポーザ３７の設置された水廻り器具１６の場合、ディスポーザ３７のオン・オフに連動させて、圧縮気体供給具３２の作動及び停止を行うことができる。
また、ディスポーザ３７と共に、または、ディスポーザ３７に代えて、食洗機を水廻り器具１６の上流側に配置し、食洗機のオン・オフに連動させて、圧縮気体供給具３２の作動及び停止を行ってもよい。
【００５５】
また、図８に示されるように、本実施形態の器具排水管１８に、膜体で形成された袋状の袋部材３８を取り付けてもよい。袋部材３８は、管状の連結管３８Ａを介して器具排水管１８と連通させ、逆止弁３４よりも上流側に取り付ける。袋部材３８は、室内が拡縮可能な密閉空間とされている。袋部材３８は、水廻り器具１６からの排水の開始時に、器具排水管１８内に滞留していた空気が流入して膨張し、サイフォン力が起動した後は、内部の空気が流出する。袋部材３８を取り付けることにより、排水の抵抗となる空気を効率よく逃がすことが可能となる。
【００５６】
［第２実施形態］
次に、本発明の第２実施形態について説明する。第２実施形態では、第１実施形態と同様の部分については同一の符号を付して図示し、詳細な説明は省略する。
【００５７】
本実施形態のサイフォン排水システム６０は、図９に示されるように、貯留槽５２を備えている。貯留槽５２は、複数の水廻り器具１６からの排水を貯留可能とされている。貯留槽５２は、横引き管２０と器具排水管１８との間に配置され、上流側に器具排水管１８が接続されている。器具排水管１８は、貯留槽５２側が低くなるように勾配をもって配設されるのが好ましい。貯留槽５２の下流側には、横引き管２０が接続されている。
【００５８】
圧縮気体供給具３２は、貯留槽５２よりも下流側の横引き管２０に、連結管３０を介して連結されている。なお、本実施形態では、逆止弁３４は設置されていないが、器具配水管１８に逆止弁３４を設置してもよい。
【００５９】
本実施形態においては、センサ３６に代えて、貯留槽５２にレベルセンサ４４が設けられている。レベルセンサ４４は、貯留槽５２内における排水の水位を検知可能とされている。図１０に示されるように、レベルセンサ４４は、コントローラー４０と接続されており、貯留槽４２内における排水の水位が所定の作動水位Ｌ１になると、レベル到達信号Ｓ４をコントローラー４０に出力する。作動水位Ｌ１は、貯留槽４２内にある程度、排水が貯留されて、横引き管２０へ圧縮空気を供給するとサイフォン力を発生させることができる程度の水位が設定される。当該水位は、実験などにより予め求めておくことができる。
なお、レベルセンサ４４に代えて、貯留槽５２内における圧力を検知可能な圧力センサを設け、予め設定されている所定の圧力を超えた場合に、レベル到達信号Ｓ４をコントローラー４０に出力するようにしてもよい。
【００６０】
メモリ４２には、レベル到達信号Ｓ４の入力後、圧縮気体供給具３２をさせておく時間（作動時間Ｔ３）が予め記録されている。
【００６１】
（本実施形態の作用）
次に、上記の実施形態について作用を説明する。
【００６２】
水廻り器具１６から排出された排水は、器具排水管１８を経て一時貯留槽４２へ流入する。（図１１（Ａ）参照）。排水が一時貯留槽４２に貯留されて、一時貯留槽４２内の水位が作動水位Ｌ１になると、レベルセンサ４４は、レベル到達信号Ｓ４をコントローラー４０に出力する。レベル到達信号Ｓ４が入力されると、コントローラー４０では、図１２に示される、圧縮空気供給処理が実行される。
【００６３】
先ず、ステップＳ２０で、圧縮気体供給具３２へ作動開始信号Ｓ２を出力する。この作動開始信号Ｓ２により、圧縮気体供給具３２が作動し、圧縮空気が横引き管２０へ供給される（図１１（Ｂ）参照）。そして、ステップＳ２２で、作動時間Ｔ３が経過するまで待機する。圧縮空気が横引き管２０へ供給されることにより、排水に圧力がかかり、竪管２２において排水が下方へ押し込まれる（図１１（Ｃ）参照）。これにより、下流側の排水に吸引力が作用し、サイフォン力が発生する。
【００６４】
作動時間Ｔ３が経過したら、ステップＳ２４で圧縮気体供給具３２へ、作動停止信号Ｓ３を出力する。この作動停止信号Ｓ３により、圧縮気体供給具３２の作動が停止し、横引き管２０への圧縮空気の供給が停止される。圧縮空気の供給が停止された後も、サイフォン力は作用し、サイフォン力により排水が排出される。
【００６５】
本実施形態によれば、圧縮気体供給具３２からの圧縮空気により、積極的にサイフォン力を発生させるので、圧縮気体供給具３２を用いない場合と比較して、サイフォン開始時間を早めることができる。また、圧縮気体供給具３２は、横引き管２０との連結部３０Ａよりも上側から圧縮気体を送るので、器具内への排水の流入を必要とせず、圧縮気体供給具３２が排水によって汚れることがなく、圧縮気体供給具３２の故障、損傷を抑制することができる。
また、サイフォン開始時間を早めることができるので、一時貯留槽４２の容量を小さくすることができる。
また、横引き管２０の長さが長くなると、サイフォン開始のために必要なサイフォン起動基準水頭も高くなるため、従来は、横引き管２０の長さを長くするために一時貯留槽４２の高さも高くする必要があった。本実施形態では、圧縮気体供給具３２を用いることにより、従来必要とされていたサイフォン起動基準水頭に達していない場合でも、サイフォン力を起動させることができる。したがって、従来と比較して、横引き管２０の長さを長くすることができる。
【００６６】
なお、本実施形態では、圧縮気体供給具３２を横引き管２０と連結させたが、図１３（Ａ）に示されるように、貯留槽５２に設置して、貯留槽５２の内部に圧縮空気を供給してもよい。また、図１３（Ｂ）に示されるように、圧縮気体供給具３２を器具排水管１８と連結させてもよい。
【符号の説明】
【００６７】
１０   サイフォン排水システム
１８   器具排水管
２０   横引き管
２２   竪管
２３   サイフォン排水管
３０   連結管
３０Ａ 連結部
３２   圧縮気体供給具
３４   逆止弁
３６   センサ
３７   ディスポーザ
３８   袋部材
４２   メモリ
４０   コントローラー
５０   サイフォン排水システム
５２   貯留槽
４４   レベルセンサ
【図１】
0005829039.tif 000002
【図２】
0005829039.tif 000003
【図３】
0005829039.tif 000004
【図４】
0005829039.tif 000005
【図５】
0005829039.tif 000006
【図６】
0005829039.tif 000007
【図７】
0005829039.tif 000008
【図８】
0005829039.tif 000009
【図９】
0005829039.tif 000010
【図１０】
0005829039.tif 000011
【図１１】
0005829039.tif 000012
【図１２】
0005829039.tif 000013
【図１３】
0005829039.tif 000014